(57)【要約】      （修正有）【課題】加湿モジュールを固定するためのフレームと給水ヘッダの固定が緩みにくく、両者が変形しにくい気化式加湿器を提供する。【解決手段】気化式加湿器は、水を含む加湿モジュールと、水を加湿モジュールに供給する給水ヘッダ１と、給水ヘッダに、外部から供給された水を供給する給水ユニットとを備える。給水ヘッダ１は、穴部両面に弾性部材１０が装着された穴部９を備える。フレーム６は、雄ネジ８に対応した雌ネジ部１２を備え、雄ネジ８は、スペーサ１３を備える。雄ネジ８が給水ヘッダ１に装着された弾性部材１０を挟み、穴部９を通りフレーム６の雌ネジ部１２にネジ止めされ、給水ヘッダ１が、フレーム６に固定される。【選択図】図５
2018028419.tif 000002
【特許請求の範囲】
【請求項１】
供給された水を空気に接触させるパネル状の加湿シートと、前記加湿シートの周囲を支える枠体状のフレームを有する加湿モジュールと、
前記水を前記加湿モジュールに滴下して供給し、前記加湿モジュールを固定するフレームに固定されたパイプ形状を有する給水ヘッダと、
を備え、
前記フレームと給水ヘッダが雄ネジによって固定された気化式加湿器であって、
前記フレームと前記給水ヘッダのいずれか一方に、前記雄ネジの先端がネジ込まれる雌ネジ部が設けられ、他方に前記雄ネジが挿通される穴部が設けられ、
前記穴部には、前記雄ネジを穴部に対して弾力的に支持する弾性部材が装着された気化式加湿器。
【請求項２】
前記フレームと前記給水ヘッダの間には、両者の前記雄ネジの軸方向の移動量を規制するスペーサが設けられている請求項１に記載の気化式加湿器。
【請求項３】
前記スペーサが前記雄ネジの外周にネジ込まれたナットからなり、前記ナットにより前記雄ネジの頭部とフレームまたは給水ヘッダの表面との間隔がナットの高さ寸法に規制されている請求項１または請求項２に記載の気化式加湿器。
【請求項４】
前記弾性部材が、前記ナットの外周と前記穴部の内周との間に配設された請求項３に記載の気化式加湿器。
【請求項５】
前記弾性部材は、グロメットである請求項１乃至４のいずれか１項記載の気化式加湿器。
【請求項６】
前記雄ネジは、ローレット加工されたネジ頭部を有する請求項１乃至５のいずれか１項記載の気化式加湿器。
【発明の詳細な説明】
【技術分野】
【０００１】
本発明は、空気を加湿する気化式加湿器に関する。
【背景技術】
【０００２】
加湿モジュールは、被処理空気の流れ方向と直角に配置されたパネル状の部材で、加湿モジュールを固定するためのフレームの上部に加湿モジュールの略全幅に伸びるパイプ状の給水ヘッダが設けられる。給水ヘッダには、電磁弁や配管用の継手を備えた給水ユニットが接続され、この給水ユニットを経由して加湿用の水が外部から供給される。給水ヘッダに供給された加湿用の水は、給水ヘッダに設けられた給水口から加湿モジュールの上部に滴下し、加湿モジュール全域に浸透する。
【０００３】
この種の加湿器としては、例えば特許文献１の発明が開示されている。この特許文献１の発明において、加湿モジュールは、パネル状をした加湿シートと、その周囲に設けられた四角形のフレームとを備え、フレームの上部に給水ヘッダが、側部に給水ユニットがネジ止めなどの手段で固定されている。
【先行技術文献】
【特許文献】
【０００４】
【特許文献１】特開２０１３−３６７２１公報
【発明の概要】
【発明が解決しようとする課題】
【０００５】
気化式加湿器において、給水ヘッダは、加湿モジュールに水を滴下して供給するものであるため、加湿モジュールを固定するためのフレームにネジ止めなどにより固定されている。輸送等による振動が加えられた場合、給水ヘッダと加湿モジュールを固定するためのフレームは、遊びがない状態で直接接触してネジ止めにて固定されているため、給水ヘッダとフレームの接合部分にストレスがかかることになる。かかるストレスにより、給水ヘッダ、フレームの接合部分が変形する、もしくは給水ヘッダとフレームを固定するネジのゆるみが発生するという問題点があった。特に、給水ヘッダが固定されているフレームを堅牢に作れば、上記問題点は解決されるが、フレームを堅牢に構成すれば、その重量が増加したり、構成材料のコストが増加する等の問題点がある。
【０００６】
フレームの軽量化のため、あるいは組立後にフレームに力が加わることが少ないので、フレームはパネル状の加湿シートの大きさに比較すると、細く、変形しやすく構成される。加湿器の輸送時や持ち上げる時に、フレームの直線部分が歪んだり、四隅の角度が開閉する方向に変形し、フレームにネジ止めされている給水ヘッダとの間で位置ずれが生じる。そのため、ネジの緩みが生じたり、ネジとフレーム、或いはネジと給水ヘッダの固定部分が変形する。
【０００７】
本発明は、気化式加湿器の重量増加やコストアップにつながることなく、固定用のネジが緩みにくく、加湿モジュールを固定するためのフレームおよび給水ヘッダが変形しにくい気化式加湿器を提供することを目的とする。
【課題を解決するための手段】
【０００８】
本発明の気化式加湿器は、次のような構成を有することを特徴とする。
（１）供給された水を空気に接触させるパネル状の加湿シートと、加湿シートの周囲を支える枠体状のフレームを有する加湿モジュールと、水を前記加湿モジュールに滴下して供給し、加湿モジュールを固定するフレームに固定されたパイプ形状を有する給水ヘッダ。
（２）フレームと給水ヘッダが雄ネジによって固定される。
（３）フレームと給水ヘッダのいずれか一方に、雄ネジの先端がネジ込まれる雌ネジ部が設けられ、他方に雄ネジが挿通される穴部が設けられる。
（４）穴部には、雄ネジを穴部に対して弾力的に支持する弾性部材が装着される。
【発明の効果】
【０００９】
本発明によれば、スペーサ及び弾性部材であるグロメットが給水ヘッダと加湿モジュールのフレームの接合部分の間、および給水ヘッダと雄ネジの頭部との間に設けられて、給水ヘッダが、フレームに固定されるので、輸送等による振動により、給水ヘッダとフレームの固定が緩みにくく、フレームおよび給水ヘッダが変形しにくい気化式加湿器を提供することができる。
【図面の簡単な説明】
【００１０】
【図１】実施形態において、気化式加湿器の全体構成を示す斜視図
【図２】実施形態において、給水ヘッダおよび加湿モジュールの部品構成を示す斜視図
【図３】実施形態において、給水ヘッダのフレームへの取付けを示す斜視図
【図４】実施形態において、給水ヘッダとフレームの雄ネジの取付けを示す拡大斜視図
【図５】実施形態において、給水ヘッダのフレームへの取付けを示す断面図
【図６】実施形態において、雄ネジの斜視図
【発明を実施するための形態】
【００１１】
［実施形態］
［１−１．構成］
以下、図１〜図６を参照して本発明の実施形態を説明する。
【００１２】
本実施形態の加湿器は、給水ヘッダ１、加湿モジュール２、給水ユニット３を有する。
【００１３】
給水ユニット３は、樹脂により成型された管状の部材であり、かつ外部からの水を取入れる入水口、給水と停止を制御する電磁弁、水を排出する出水口を有し、フレーム６に固定される。給水ユニット３は、外部から供給された水を取入れ、給水ヘッダ１に給水するとともに、内部に設けられた電磁弁により給水と停止を制御する。
【００１４】
給水ヘッダ１は、底面に出水用の複数の小穴を有する、水を通すことができるパイプ形状を有する部材で、フレーム６の上部に配置される。給水ヘッダ１は、ホース５にて給水ユニット３に接続され、給水ユニット３から供給された水を滴下して加湿モジュール２に供給する。
【００１５】
加湿モジュール２は、紙等の給水材を複数枚積層させてパネル状に構成した加湿シート７と、加湿シート７の周囲を支え加湿シート７と略同等の厚みを有し、板金を折り曲げて加工された長方形の額縁状の枠体を有する部材である。加湿モジュール２は、給水ヘッダ１の下部に配置される。加湿モジュール２は、加湿シート７が給水ヘッダ１から供給される水を吸水し、水を含んだ加湿シート７により水を空気に接触させ、周辺の空気を加湿する。
【００１６】
図４〜図５に示すように給水ヘッダ１は、フレーム６側に延びるフレーム６との固定用の穴を有する板金にて構成される。またフレーム６は、加湿シート７面側の上部に雄ネジ８がネジ止めされるように、雌ネジ加工された雌ネジ部１２を有する。給水ヘッダ１のフレーム６側に延びる固定用の穴を有する板金部分が、フレーム６の雌ネジ部１２に重ねられ、雄ネジ８にてネジ止めにて固定される。雄ネジ８は、ネジ頭部分にローレット加工がなされている。給水ヘッダ１の固定用の穴に本発明の弾性部材としてのグロメット１０がはめ込まれており、給水ヘッダ１とフレーム６は、グロメット１０を介して固定される。
【００１７】
図５に示すように給水ヘッダ１は、フレーム６側に延びる板金部分に雄ネジ８が貫通する円形の穴部９を備えている。穴部９は、雄ネジ８に配置されるスペーサ１３の径より大きくゴム製のグロメット１０が装着される。グロメット１０の内径は、雄ネジ８に配置されるスペーサ１３の形状に対応している。グロメット１０は、リング形状をなしその外周に沿って切込まれた溝部１１を有する。この溝部１１が給水ヘッダ１の穴部９を挟みこみ、グロメット１０が、給水ヘッダ１に固定される。
【００１８】
フレーム６の加湿シート７と並行する面に、雄ネジ８の先端がネジ込まれる雌ネジ部１２がある。雄ネジ８は、給水ヘッダ１の穴部９に装着されたグロメット１０を貫通し、フレーム６の雌ネジ部１２に固定される。
【００１９】
雄ネジ８は、雄ネジ８の螺旋部分に挿通されたリング状のスペーサ１３を備える。スペーサ１３は、雄ネジ８がフレーム６の雌ネジ部１２に取付けられたときにグロメット１０が装着された給水ヘッダ１とフレーム６の隙間をなくすためグロメット１０の厚さ以下である。給水ヘッダ１とフレーム６の固定部分は、ネジの緩みが発生したりフレーム６の板金が変形しやすい。スペーサ１３は、給水ヘッダ１とフレーム６が密着することを防ぐため、雌ネジ部１２と前記雄ネジ８の頭部との間のスペースを確保する。スペーサ１３は雄ネジ８に、対応したナットである。
【００２０】
雄ネジ８のスペーサ１３により確保されたスペースのうち、給水ヘッダ１とフレーム６の接合部分の間、および給水ヘッダ１と雄ネジ８の頭部との間にグロメット１０は挟まれる。これにより、雄ネジ８と給水ヘッダ１、給水ヘッダ１とフレーム６が直接接触することが防止される。
【００２１】
［１−２．作用］
給水ヘッダ１、およびフレーム６は、スペーサ１３を有する雄ネジ８にて固定されている。雄ネジ８は、フレーム６の雌ネジ部１２に取付けられることにより、給水ヘッダ１がフレーム６から脱落することを防ぐ。
【００２２】
スペーサ１３は、固定部分でネジの緩みやフレーム６の板金が変形しやすいため給水ヘッダ１とフレーム６が密着しないようにスペースを確保する。また、スペーサ１３は、給水ヘッダ１と雄ネジ８の頭部が直接密着しないようにスペースを確保する。
【００２３】
グロメット１０は、給水ヘッダ１とフレーム６との間、および給水ヘッダ１と雄ネジ８の頭部の間の隙間を埋め、取り付けられた給水ヘッダ１がフレーム６と雄ネジ８の頭部との間で、暴れることを防ぐ。グロメット１０はゴム製である。このため輸送等の振動があった場合でも、グロメット１０の材料の持つ弾性にて、給水ヘッダ１とフレーム６の接合部分の間、および給水ヘッダ１と雄ネジ８の頭部との間に発生する機械的ストレスが逃がされる。その結果給水ヘッダ１およびフレーム６が変形することを防止する。
【００２４】
グロメット１０はゴム製であり、輸送等の振動があった場合でもグロメット１０の材料の持つ摩擦にて、雄ネジ８が自由に回転することを妨げ、雄ネジ８が緩むことを防止する。
【００２５】
［１−３．効果］
本実施形態の効果は、下記のとおりである。
（１）給水ヘッダは、スペーサを有する雄ネジにて弾性部材を介してフレームに固定される。雄ネジにより、給水ヘッダが加湿モジュールのフレームから脱落することが防止される。弾性部材であるグロメットにより、給水ヘッダが、フレームと雄ネジの頭部の間に弾力を持った状態で固定される。振動等の外力が加わり給水ヘッダが、フレームまたは雄ネジの頭部に対し力を与えても、弾性部材であるグロメットによりその力が吸収される。その結果、フレームや給水ヘッダの固定部分および雄ネジが破損することや、雄ネジが緩むことが防止される
【００２６】
（２）スペーサにより、雄ネジの頭部とフレームとの間隔がスペーサの高さ寸法に規制される。スペーサにより、給水ヘッダとフレームが直接密着しないようなスペース、および給水ヘッダと雄ネジの頭部が直接密着しないようなスペースが確保される。その結果、フレームと給水ヘッダは、雄ネジにより両者が分離する方向、すなわち雄ネジの軸方向の移動量が規制されているので、フレームと給水ヘッダが必要以上に離れることがなく、両者の連結状態が確保される。
【００２７】
（３）スペーサにナットを使用することにより、スペーサを雄ネジと一体に削り出す必要がなくなり、頭部とネジ部からなる簡単な構造の雄ネジを使用することができるとともに、スペーサ自体も既存のナットを使用することができる。
【００２８】
（４）雄ネジの螺旋部分の外周にスペーサと弾性部材を同心円状に配置できるので、スペーサおよび弾性部材の設置スペースを小さくできる。
【００２９】
［他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００３０】
（１）本実施形態では、フレーム６の雌ネジ部１２は直接フレーム６に雌ネジ加工して設けられているが、フレーム６の雌ネジ部１２の代わりにフレーム６にはネジ加工されていない穴を設け、別部品のナットに雄ネジ８がネジ止めされるようにしてもよい。または、フレーム６に、ナットが溶接されるようにしても、もしくはカシメられるようにしてもよい。
【００３１】
（２）本実施形態では、フレーム６に雌ネジ部１２を配置し、給水ヘッダ１の穴部９にグロメット１０を配置し、雄ネジ８が、給水ヘッダ１の穴部９およびグロメット１０を挟んでフレーム６の雌ネジ部１２にネジ止めされるものとしたが、給水ヘッダ１に雌ネジ部を配置し、フレーム６に穴部を設けグロメットを配置し、雄ネジが、フレーム６の穴部９およびグロメットを挟んで給水ヘッダ１に配置された雌ネジ部にネジ止めされるものとしてもよい。
【００３２】
（３）本実施形態では、グロメット１０は、ゴム製としたが、例えば軟質プラスチックのような他の弾性材料にて構成されるものであってもよい。
【００３３】
（４）本実施形態では、雄ネジ８に設けられたスペーサ１３は、ナットとしたが、他のリング状の部材にて構成されるものであってもよい。
【００３４】
（５）本実施形態では、雄ネジ８にスペーサ１３を設けるものとしたが、他の箇所に設けられるものであってもよい。例えばグロメット１０の内側にリング状のスペーサを設けるようにしてもよい。また、雄ネジ８を削り出しにて作成し、雄ネジ８とスペーサ１３が一体にて構成されるものであってもよい。
【００３５】
（６）本実施形態では、給水ヘッダ１の穴部９として丸穴を使用したが、楕円形、長円形、四角形の穴や、Ｕ字形の切欠など、雄ネジ８が挿通できる形状であれば、他の形状も使用できる。弾性部材も、リング状に限定されるものではなく、穴の形状に合わせて適宜変更可能であり、角型、コ字型などでもよい。
【符号の説明】
【００３６】
１・・・給水ヘッダ
２・・・加湿モジュール
３・・・給水ユニット
５・・・ホース
６・・・フレーム
７・・・加湿シート
８・・・雄ネジ
９・・・穴部
１０・・・グロメット
１１・・・溝部
１２・・・雌ネジ部
１３・・・スペーサ
【図１】
2018028419.tif 000003
【図２】
2018028419.tif 000004
【図３】
2018028419.tif 000005
【図４】
2018028419.tif 000006
【図５】
2018028419.tif 000007
【図６】
2018028419.tif 000008